(57)【要約】【課題】光学式記録媒体に対してビームを射出することにより情報を記録する情報記録部の冷却を、より円滑かつ効率的に実行することができる光学式情報記録装置を提供することを課題とする。【解決手段】情報記録部１４のビーム出力を制御する駆動電流に係る情報を取得する射出出力情報取得部１７ｃと、射出出力情報取得部１７ｃにより取得された射出出力に係る情報に基づいて、情報記録部１４の冷却を実行すべきかどうかを判定する冷却判定部１７ｅと、冷却判定部１７ｅにより冷却を実行すべきと判定された場合に情報記録部１４の冷却を実行する冷却実行部１７ｆとを備える。【選択図】      図１
2005056461.tif 000002
【特許請求の範囲】
【請求項１】
光学式記録媒体に対してビームを射出することにより情報を記録する情報記録部を有する光学式情報記録装置であって、
前記情報記録部のビームの射出出力に係る情報を取得する射出出力情報取得手段と、
前記射出出力情報取得手段により取得された射出出力に係る情報に基づいて、前記情報記録部の冷却動作を実行すべきかどうかを判定する冷却判定手段と、
前記冷却判定手段の判定結果に応じて、前記情報記録部の冷却動作を実行する冷却実行手段と、
を備えたことを特徴とする光学式情報記録装置。
【請求項２】
前記冷却実行手段により情報記録部の冷却が実行される場合、前記光学式記録媒体に対する情報の記録が停止され、前記冷却動作が実行され、情報の記録が再開される際に、該情報記録部のビームの射出出力を補正する出力補正手段をさらに備えたことを特徴とする請求項１に記載の光学式情報記録装置。
【請求項３】
情報記録部の温度に係る情報を取得する温度情報取得手段をさらに備え、前記出力補正手段は、前記温度情報取得手段により取得される前記冷却動作後の情報記録部の温度に係る情報に基づいて、情報記録部のビーム出力を補正することを特徴とする請求項２に記載の光学式情報記録装置。
【請求項４】
前記出力補正手段は、情報の記録動作中において前記温度情報取得手段により取得された情報記録部の温度に係る情報と、該情報の記録動作中において前記射出出力情報取得手段により取得された射出出力に係る情報との間の対応関係を記憶し、記憶した該対応関係および前記温度情報取得手段により取得される前記冷却動作後の情報記録部の温度に係る情報に基づいて情報記録部の射出出力を補正することを特徴とする請求項３に記載の光学式情報記録装置。
【請求項５】
情報記録部の温度に係る情報を取得する温度情報取得手段をさらに備え、前記冷却判定手段は、前記射出出力情報取得手段により取得された射出出力に係る情報、あるいは、前記温度情報取得手段により取得された温度に係る情報のいずれかが所定の条件を満足したかどうかに基づいて、前記情報記録部の冷却動作を実行すべきかどうかを判定することを特徴とする請求項１に記載の光学式情報記録装置。
【請求項６】
光学式記録媒体に対してビームを射出することにより情報を記録する情報記録部を有する情報記録装置であって、
前記情報記録部の温度に係る情報を取得する温度情報取得手段と、
前記温度情報取得手段により取得された温度に係る情報に基づいて、前記情報記録部の冷却動作を実行すべきかどうかを判定する冷却判定手段と、
前記冷却判定手段の判定結果に応じて、前記情報記録部の冷却動作を実行する冷却実行手段と、
前記冷却実行手段により情報記録部の冷却動作が実行された後、光学式記録媒体に対する記録が再開される場合に、該情報記録部のビームの射出出力を補正する出力補正手段と、
を備えたことを特徴とする光学式情報記録装置。
【請求項７】
前記冷却実行手段は、情報の記録を停止した際の情報の追記に係る情報を記憶し、該情報記録部の冷却動作が実行され、前記光学式記録媒体に対する情報の記録が再開される場合に、前記情報の追記に係る情報に基づいて情報の追記をおこなうことを特徴とする請求項１〜６のいずれか一つに記載の光学式情報記録装置。
【請求項８】
前記光学式記録媒体に記録する情報を一時的に記憶するバッファをさらに備え、前記冷却実行手段は、前記冷却動作を実行する際に、前記バッファに対する情報の送信を停止させ、バッファアンダーランが発生した場合に、前記情報の追記に係る情報を記憶することを特徴とする請求項７に記載の光学式情報記録装置。
【請求項９】
前記冷却実行手段は、前記情報記録における光ビームの射出を停止させることにより冷却動作を実行することを特徴とする請求項１〜８のいずれか一つに記載の光学式情報記録装置。
【請求項１０】
前記冷却実行手段は、前記光学式記録媒体を回転させるとともに、前記情報記録部の放熱量が、情報の記録が停止された際の該情報記録部の位置における放熱量以上となる所定の位置に、前記情報記録部を移動させることにより冷却動作を実行することを特徴とする請求項１〜９のいずれか一つに記載の光学式情報記録装置。
【請求項１１】
前記冷却実行手段は、前記光学式記録媒体を情報の記録動作中に用いられる範囲内の回転速度で回転することにより前記情報記録部を冷却することを特徴とする請求項９に記載の光学式情報記録装置。
【請求項１２】
前記回転速度は、前記冷却実行手段により情報記録部の冷却が実行された後、光学式記録媒体に対する情報の記録を再開する場合に設定される回転速度と略同一であることを特徴とする請求項１１に記載の光学式情報記録装置。
【発明の詳細な説明】
【０００１】
【発明の属する技術分野】
この発明は、光学式情報記録装置に関する。
【０００２】
【従来の技術】
近年、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスク（光学式記録媒体）に情報をより高速に記録するため、高出力のビームを射出するピックアップ等の情報記録部の開発が、ますます要望されるようになってきている。ところが、ビームの射出出力が高くなるにつれ、発熱量も大きくなるため、効率的に冷却をおこなう技術が必要となる。
【０００３】
そのため、たとえば、特許文献１には、ピックアップが過熱した場合に、光ディスクの回転によって生じる空気流を利用して、ピックアップの冷却をおこなうディスク装置が開示されている。
【特許文献１】
特開２００２−４２３６１号公報
【０００４】
【発明が解決しようとする課題】
しかしながら、上記特許文献１に代表される従来技術においては、冷却方法の一部が言及されているに過ぎず、冷却を実行する際の判定条件や、冷却後の情報記録処理への復帰方法など、冷却をさらに円滑かつ効率的に実行するための方法が技術的に十分開示されていないという問題がある。
【０００５】
このようなことから、本発明が解決しようとする課題としては、「光学式記録媒体に対してビームを射出することにより情報を記録する情報記録部の冷却を、より円滑かつ効率的に実行することができる光学式情報記録装置を提供する」という問題が一例として挙げられる。
【０００６】
【課題を解決するための手段】
請求項１に係る発明は、光学式記録媒体に対してビームを射出することにより情報を記録する情報記録部を有する光学式情報記録装置であって、前記情報記録部のビームの射出出力に係る情報を取得する射出出力情報取得手段と、前記射出出力情報取得手段により取得された射出出力に係る情報に基づいて、前記情報記録部の冷却動作を実行すべきかどうかを判定する冷却判定手段と、前記冷却判定手段の判定結果に応じて、前記情報記録部の冷却動作を実行する冷却実行手段と、を備えたことを特徴とする。
【０００７】
請求項６に係る発明は、光学式記録媒体に対してビームを射出することにより情報を記録する情報記録部を有する情報記録装置であって、前記情報記録部の温度に係る情報を取得する温度情報取得手段と、前記温度情報取得手段により取得された温度に係る情報に基づいて、前記情報記録部の冷却動作を実行すべきかどうかを判定する冷却判定手段と、前記冷却判定手段の判定結果に応じて、前記情報記録部の冷却を実行する冷却実行手段と、前記冷却実行手段により情報記録部の冷却が実行された後、光学式記録媒体に対する記録が再開される場合に、情報記録部のビームの射出出力を補正する出力補正手段と、を備えたことを特徴とする。
【０００８】
【発明の実施の形態】
以下に添付図面を参照して、本発明に係る光学式情報記録装置の好適な実施の形態を詳細に説明する。なお、以下では、本実施の形態で用いる主要な用語を説明した後に、本実施の形態の概要および特徴、本実施の形態に係る実施例を説明し、最後に本実施の形態および実施例に対する種々の変形例を説明する。
【０００９】
［用語の説明］
まず、本実施の形態で用いる主要な用語を説明する。本実施の形態で用いる「光学式記録媒体（特許請求の範囲に記載の「光学式記録媒体」に対応する。以下、適宜「光ディスク」と言い換える。）」とは、情報（以下、適宜「データ」と言い換える。）が光学的に記録され、また再生される情報記録媒体のことを指し、具体的には、ＢＤ（Ｂｌｕｅ−ｒａｙ  Ｄｉｓｋ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＤＶＤ−ＲＷ（Ｄｉｇｉｔａｌ  Ｖｅｒｓａｔｉｌｅ  Ｄｉｓｋ  Ｒｅｗｒｉｔａｂｌｅ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＡＯＤ（Ａｄｖａｎｃｅｄ  Ｏｐｔｉｃａｌ  Ｄｉｓｋ）などがこれに該当する。
【００１０】
また、本実施の形態で用いる「光学式情報記録装置（特許請求の範囲に記載の「光学式情報記録装置」に対応する。）」とは、上記の光学式記録媒体に情報（データ）を記録する装置のことを指し、具体的には、上述のＢＤ、ＤＶＤ−Ｒ、ＤＶＤ−ＲＷ、ＤＶＤ−ＲＡＭ、ＣＤ−Ｒ、ＣＤ−ＲＷおよびＡＯＤ等に情報を記録する装置などがこれに該当する。
【００１１】
また、本実施の形態で用いる「情報記録部（特許請求の範囲に記載の「情報記録部」に対応する。）」とは、上記の光学式記録媒体に対してビームを射出することにより情報を記録する記録部のことを指し、具体的には、上述のＢＤ、ＤＶＤ−Ｒ、ＤＶＤ−ＲＷ、ＤＶＤ−ＲＡＭ、ＣＤ−Ｒ、ＣＤ−ＲＷおよびＡＯＤ等に情報を記録するピックアップやヘッド、レーザダイオードなどがこれに該当する。
【００１２】
［概要および特徴］
つぎに、図１〜図３を用いて、本実施の形態に係る光学式情報記録装置の概要および特徴について説明する。図１は、本実施の形態に係る光学式情報記録装置の機能的構成を示すブロック図である。この光学式情報記録装置は、概略的には、光ディスク１０に情報を記録し、または、光ディスク１０に記録されたデータを再生する装置である。
【００１３】
同図に示すように、この光学式情報記録装置は、スピンドルモータ１１、スピンドルモータ制御部１２、情報記録部１４、キャリッジ１５、キャリッジ制御部１６、記録制御部１７、再生制御部１８を有する。
【００１４】
スピンドルモータ１１は、光ディスク１０を回転させるモータであり、スピンドルモータ制御部１２は、スピンドルモータ１１の回転数を制御する制御部である。情報記録部１４（特許請求の範囲に記載の「情報記録部」に対応する。）は、レーザーダイオードのような光ビームを射出する手段を有し、光ディスク１０上に光ビーム１３を射出することによりデータの記録または読み取りをおこなう記録部である。
【００１５】
キャリッジ１５は、情報記録部１４を支持する台座であり、キャリッジ制御部１６は、キャリッジ１５を移動させることにより、適切なデータの記録位置または読取位置に情報記録部１４を移動させる制御部である。
【００１６】
記録制御部１７は、光ディスク１０に記録する記録データを受け付け、受け付けたデータを光ディスク１０に記録する処理をおこなう制御部である。この記録制御部１７は、単にデータの記録を制御するだけでなく、情報記録部１４の温度、あるいは、情報記録部１４の射出出力のいずれかが所定の条件を満足したかどうかに基づいて、冷却を実行すべきか否かを判定し、冷却を実行すべきと判定された場合には、情報記録部１４の冷却動作を実行する。
【００１７】
なお、上記「射出出力」としては、記録制御部１７から光ビーム１３の射出出力が指示される制御信号や、その制御信号に基づいて情報記録部１４が実際に光ビーム１３の射出を行う駆動電流値などである。
【００１８】
ここで、情報記録部１４の光ビーム１３の射出出力と駆動電流値との間の関係における温度依存性について説明する。一般にレーザーダイオードのような光ビームを照射する手段は、図２に示すように、光ビームの射出出力と駆動電流値との間の関係における温度依存性を有している。。同図に示すように、常温Ｔ０における射出出力と駆動電流値との間の関係曲線２０では、光ビーム１３の射出出力をＰ０にするのにＩ１の駆動電流が必要となる。
【００１９】
しかしながら、情報記録部１４の温度がより高温Ｔ（＞Ｔ０）になると、温度Ｔにおける射出出力と駆動電流値との間の関係曲線２１に示されるように、同じ射出出力Ｐ０を得るのにより大きな駆動電流値Ｉ２が必要となる。そのため、情報記録部１４の温度上昇にともなって駆動電流値も大きくなるので、駆動電流値も情報記録部１４の温度上昇を示す指標となり得る。
【００２０】
このようなことから、記録制御部１７は、単に情報記録部１４の温度を測定するだけでなく、射出出力を検出することにより、情報記録部１４の温度上昇を迅速に検出し、円滑かつ効率的に冷却処理に移行することができるようになる。
【００２１】
また、記録制御部１７は、情報記録部１４の冷却処理の実行後、データの記録処理に円滑に復帰できるよう情報記録部１４を制御する。具体的には、データの記録を停止して冷却処理へ移行する際に、記録を停止した際のデータの追記に係る情報を記憶し、情報記録部１４の冷却が実行され、データの記録が再開される場合に、記憶したデータの追記に係る情報に基づいて情報の記録を再開する。ここで、「データの追記に係る情報」とは、データを追記するアドレスの情報、光ディスク１０のセクタ内の追記位置および追記タイミングの情報などを指す。
【００２２】
図３は、冷却処理によりデータの記録処理を中断し、その後再開した場合のＲＦ信号の状態を示す概念図である。図３（ａ）は、データの記録を再開する際に、上記データの追記に係る情報を利用しなかった場合のＲＦ信号の状態を示し、図３（ｂ）は、データの追記に係る情報を利用した場合のＲＦ信号の状態を示している。
【００２３】
図３（ａ）に示すように、データの追記に係る情報を利用しなかった場合には、ＲＦ信号が滑らかに接続されず、データの記録エラーが生じる。一方、図３（ｂ）に示すように、データの追記に係る情報を利用した場合には、記録処理の再開後、ＲＦ信号を切れ目なく接続することができる。
【００２４】
記録制御部１７は、さらに、情報記録部１４の冷却が実行され、光ディスク１０に対するデータの記録が再開される場合に、情報記録部１４の射出出力を補正する処理をおこなう。
【００２５】
これは、図２で説明したように、記録を中断した時と同一の駆動電流を入力したとしても、冷却により情報記録部１４の温度が低下しているので、射出出力は中断時の射出出力よりも大きくなり、適正値を越えた光ビーム１３を射出してしまう可能性があるためである。したがって、記録再開時の情報記録部１４の温度に応じて駆動電流値を設定することにより、補正された適正な射出出力を得ることができる。
【００２６】
記録制御部１７は、記録信号生成部１７ａ、出力制御部１７ｂ、射出出力情報取得部１７ｃ、温度情報取得部１７ｄ、冷却判定部１７ｅ、冷却実行部１７ｆおよび出力補正部１７ｇを有する。
【００２７】
記録信号生成部１７ａは、光ディスク１０に記録する記録データを受け付け、受け付けた記録データの変調処理をおこなって、光ディスク１０に対する記録信号を生成する生成部である。出力制御部１７ｂは、情報記録部１４が射出する光ビーム１３の射出出力を指示する制御部である。
【００２８】
射出出力情報取得部１７ｃ（特許請求の範囲に記載の「射出出力情報取得手段」に対応する。）は、情報記録部１４の射出出力に係る情報を取得する取得部であり、温度情報取得部１７ｄ（特許請求の範囲に記載の「温度情報取得手段」に対応する。）は、情報記録部１４の温度に係る情報を取得する取得部である。
【００２９】
冷却判定部１７ｅ（特許請求の範囲に記載の「冷却判定手段」に対応する。）は、射出出力情報取得部１７ｃにより取得された射出出力に係る情報、あるいは、温度情報取得部１７ｄにより取得された温度に係る情報のいずれかが所定の条件を満足したかどうかに基づいて、情報記録部１４の冷却をおこなうべきかどうかを判定する判定部である。
【００３０】
具体的には、情報記録部１４の温度が所定の温度以上、あるいは、情報記録部１４の射出出力が所定の値以上となった場合に冷却動作を開始すべきと判定を行う。
【００３１】
冷却実行部１７ｆ（特許請求の範囲に記載の「冷却実行手段」に対応する。）は、冷却判定部１７ｅにより情報記録部１４の冷却動作を開始すべきと判定された場合に、冷却動作を実行する実行部である。冷却動作の実行には、具体的には、スピンドルモータ制御部１２を介して光ディスク１０を回転させ、その回転により生じる空気流で冷却する方法や、情報記録部１４に搭載される熱源への電力の供給を停止させる方法、キャリッジ制御部１６を介して情報記録部１４を冷却効果の高い位置に移動させるなど、さまざまな方法を用いることができる。
【００３２】
出力補正部１７ｇ（特許請求の範囲に記載の「出力補正手段」に対応する。）は、冷却実行部１７ｆにより情報記録部１４の冷却が実行され、光ディスク１０に対するデータの記録が再開される場合に、情報記録部１４の射出出力を補正する補正部である。
【００３３】
射出出力を補正する方法には、ＯＰＣ（Ｏｐｔｉｍｕｍ  Ｐｏｗｅｒ  Ｃｏｎｔｒｏｌ）処理を実行して補正する方法や、後述する情報記録部１４の温度と射出出力との間の対応関係に基づいて、冷却動作がなされた後の情報記録部１４の温度に応じた射出出力に補正する方法などがある。ここで、ＯＰＣとは、光ディスク１０の記録エリアの内周に設けられたＰＣＡ（Ｐｏｗｅｒ  Ｃａｌｉｂｒａｔｉｏｎ  Ａｒｅａ）に記録テストをおこなうことにより、射出出力などの記録条件を最適化する手法である。
【００３４】
再生制御部１８は、光ディスク１０に記録されたデータを読み出して再生する処理をおこなう制御部である。この再生制御部１８は、信号読取部１８ａおよび再生データ生成部１８ｂを有する。
【００３５】
信号読取部１８ａは、情報記録部１４、キャリッジ制御部１５およびスピンドルモータ制御部１６を制御して所望のデータの読み取りをおこなう制御部である。再生データ生成部１８ｂは、信号読取部１８ａにより読み取られたデータの復調処理をおこなって再生データの生成をおこなう生成部である。ここで生成されたデータは、後段の図示されない信号処理回路に送信され適宜信号処理が成される。
【００３６】
上述してきたように、本実施の形態に係る光学式情報記録装置は、情報記録部１４の温度、あるいは、情報記録部１４の射出出力のいずれかが所定の条件を満足したかどうかに基づいて、冷却動作を実行すべきかどうかを判定し、冷却動作を実行すべきと判定された場合には、情報記録部１４の冷却動作を実行することとした。したがって、情報記録部１４の温度上昇を迅速に検出し、円滑かつ効率的に冷却動作を開始ことができるようになる。
【００３７】
また、本実施の形態に係る光学式情報記録装置は、データの記録を停止して冷却処理へ移行する際に、データの追記に係る情報を記憶し、データの記録が再開される場合に、そのデータの追記に係る情報に基づいてデータの追記をおこなうこととした。したがって、ＲＦ信号を切れ目なく接続して記録エラーの発生を抑制することができ、円滑にデータの記録処理を再開することができる。
【００３８】
さらに、本実施の形態に係る光学式情報記録装置は、情報記録部１４の冷却動作が実行され、光ディスク１０に対する情報の記録が再開される場合に、情報記録部１４の射出出力を補正する。したがって、冷却動作により情報記憶部１４の温度が変化した場合でも、データの記録を再開する際に適切な射出出力を得ることができる。
【００３９】
さて、本実施の形態では、情報記録部１４の温度に係る情報、あるいは、情報記録部の射出出力に係る情報のいずれかが所定の条件を満足したかどうかに基づいて、冷却を実行すべきかどうかを判定することとしたが、必ずしもこれに限定されるものではなく、情報記録部１４の温度に係る情報のみ、あるいは、射出出力に係る情報のみを検知して所定の条件を満足したかどうかを判定することとしてもよい。
【００４０】
また、本実施の形態では、同種の光ディスク１０に対してデータを記録・再生する光学式情報記録装置について説明したが、本発明は必ずしもこれに限定されるものではなく、ＣＤ−ＲとＤＶＤ−Ｒなど、複数の種類の光ディスク１０に対して記録・再生をおこなうことのできる光学式情報記録装置にも同様に適用することができる。
【００４１】
たとえば、ＣＤ−ＲとＤＶＤ−Ｒの双方に対してデータを記録することが可能な光学式情報記録装置の場合には、情報記録部１４の冷却後における情報記録部１４の出力補正処理を、ＤＶＤ−Ｒに対してはＯＰＣを実施することにより実行し、ＣＤ−Ｒに対しては後述する情報記録部１４の温度と射出出力との関係に基づいて、冷却後の情報記録部１４の射出出力を適切に設定することにより実行するといったことも可能である。
【００４２】
これは、ＣＤ−ＲがＤＶＤ−Ｒと比べて、ＯＰＣを実行できる回数に極端に少ないためである。このように、各光ディスクの特性を考慮して射出出力の補正手法を変更することにより、さらに最適な冷却処理を実現できる。
【００４３】
なお、以下では、上述した本実施の形態に係る光学式情報記録装置の実施例および種々の変形例について説明する。ただし、上記の光学式情報記録装置と同様の構成部分については、その詳細な説明を省略する。
【００４４】
［実施例］
本実施例では、図４〜図７を用いて、光ディスクに情報を記録するピックアップを有する光学式情報記録装置の具体的な構成および光学式情報記録装置がおこなう処理内容について説明する。
【００４５】
図４は、本実施例の光学式情報記録装置のハードウェア構成を示すブロック図である。この光学式情報記録装置は、スピンドルモータ１１、キャリッジ１５、ドライバ３１、ＤＳＰコントローラ３２、ピックアップ３３、ＣＰＵ３４、ＲＯＭ３５、ＲＡＭ３６、バッファ３７、エンコーダ３８、ピックアップコントローラ３９、レーザダイオードドライバ４０、増幅器４１およびデコーダ４２を有する。また、ピックアップ３３は、同図の拡大図中に示されるように、レーザダイオード３３ａ、温度センサ３３ｂおよびフォトディテクタ３３ｃを有する。
【００４６】
ここで、図１に示した各機能部と、図４に示した各ハードウェア構成部との間の対応関係について説明する。なお、ＣＰＵ３４によりデータが読み出されるＲＯＭ３５、および、ＣＰＵ３４によりデータの書き込みおよび読み出しがおこなわれるＲＡＭ３６については、ＣＰＵ３４により制御がおこなわれるすべての機能部に関連するので、以下の対応関係においては記載を省略することとする。
【００４７】
情報記録部１４には、ピックアップ３３のレーザダイオード３３ａおよびフォトディテクタ３３ｃが対応する。スピンドルモータ制御部１２およびキャリッジ制御部１６には、ドライバ３１、ＤＳＰコントローラ３２およびＣＰＵ３４が対応する。記録信号生成部１７ａには、ＣＰＵ３４、バッファ３７およびエンコーダ３８が対応する。出力制御部１７ｂには、ＣＰＵ３４、ピックアップコントローラ３９およびレーザダイオードドライバ４０が対応する。射出出力情報取得部１７ｃには、ＣＰＵ３４およびピックアップコントローラ３９が対応する。温度情報取得部１７ｄには、温度センサ３３ｂ、ＣＰＵ３４およびピックアップコントローラ３９が対応する。
【００４８】
冷却判定部１７ｅには、ＣＰＵ３４が対応する。冷却実行部１７ｆには、スピンドルモータ１１、ＤＳＰコントローラ１６、ドライバ３１、ピックアップ３３、ＣＰＵ３４、エンコーダ３８、ピックアップコントローラ３９およびレーザダイオードドライバ４０が対応する。出力補正部１７ｇには、温度センサ３３ｂ、ＣＰＵ３４およびピックアップコントローラ３９が対応する。信号読取部１８ａには、フォトディテクタ３３ｃ、ＣＰＵ３４および増幅器４１が対応する。再生データ生成部１８ｂには、ＣＰＵ３４、バッファ３７およびデコーダ４２が対応する。
【００４９】
スピンドルモータ１１は、光ディスク１０を回転させるモータである。このスピンドルモータ１１は、データを記録・再生する場合には、線速度一定（ＣＬＶ、Ｃｏｎｓｔａｎｔ  Ｌｉｎｅａｒ  Ｖｅｌｏｃｉｔｙ）で回転し、ピックアップ３３の冷却実行時には、角速度一定（ＣＡＶ、Ｃｏｎｓｔａｎｔ  Ａｎｇｕｌａｒ  Ｖｅｌｏｃｉｔｙ）で回転し、それによって生じる空気流を利用して冷却をおこなう。ここで、冷却実行時のスピンドルモータ１１の角速度は、データの記録中に用いられる範囲内の角速度とする。これにより、データの記録処理に円滑に復帰することができる。
【００５０】
ピックアップ３３は、光ディスク１０に光ビーム１３を射出することによりデータの記録または読み取りをおこなうユニットであり、レーザダイオード３３ａ、温度センサ３３ｂおよびフォトディテクタ３３ｃを有する。
【００５１】
レーザダイオード３３ａは、光ビーム１３を射出する半導体発光素子であり、温度センサ３３ｂは、ピックアップ３３の温度を測定するためのセンサで、本実施例では、熱源の一つであるレーザーダイオード３３ａの温度を測定すべくその近傍に設けられている。フォトディテクタ３３ｃは、光ディスク１０に射出された光ビーム１３の反射光を受光し、その反射光の光密度に応じて電気信号を発生させる光検出器である。
【００５２】
キャリッジ１５は、ピックアップ３３を支持する台座であり、ドライバ３１は、スピンドルモータ１１の回転数およびキャリッジ１５の移動動作を電流制御するドライバである。ＤＳＰ（Ｄｉｇｉｔａｌ  Ｓｉｇｎａｌ  Ｐｒｏｃｅｓｓｏｒ）コントローラ３２は、スピンドルモータ１１の回転数を指示する制御信号、および、キャリッジ１５の移動動作を指示する制御信号をドライバ３１に送信するコントローラである。
【００５３】
ＣＰＵ３４は、この光学式情報記録装置を全体制御するユニットであり、ＲＯＭ３５に記憶されたプログラムを読み出し、プログラムを実行することにより図１に示した各機能部の機能を実現する。また、ＣＰＵ３４は、ＲＡＭ３６との間でデータの記憶または読み出しをおこなう。
【００５４】
バッファ３７は、図示されない前段の回路から光ディスク１０に記録する記録データを受信し、一時的に記憶するメモリである。また、このバッファ３７は、光ディスク１０から読み出されたデータを一時的に記憶し、図示されない後段の信号処理回路にデータを送信する。
【００５５】
エンコーダ３８は、光ディスク１０に記録する記録データをバッファ３７から取得し、その記録データに対して符号化処理をおこなう回路である。また、このエンコーダ３８は、バッファーアンダーラン防止機能（特許請求の範囲に記載の「記録再開手段」に対応する。）を備えている。
【００５６】
バッファーアンダーラン防止機能は、バッファ３７に蓄えられている記録データのデータ量が所定の量以下になった場合に、データの追記に係る情報を保持する機能である。ここで、「データの追記に係る情報」とは、データを追記するアドレスの情報、光ディスク１０のセクタ内の追記位置およびタイミングの情報などである。そして、ピックアップ３３の冷却処理が終了した後、記憶したデータの追記に係る情報に基づいて、データの記録を再開する。
【００５７】
ＣＰＵ３４は、本光学式情報記録装置が接続されたホストコンピュータなどからバッファ３７へと送信されるデータの受信を停止し、さらにすでにバッファ３７内にあるデータをすべて光ディスク１０に記録するよう制御することにより、上記バッファーアンダーラン防止機能を機能させることができる。このように、エンコーダ３８が有するバッファアンダーラン防止機能を利用することで、図３（ｂ）に示したように、ＲＦ信号を切れ目なく接続することができる。
【００５８】
ピックアップコントローラ３９は、エンコーダ３８により符号化処理がおこなわれたデータ信号を基にして、光ビーム１３の照射時間の調整をおこなう信号波形を生成するコントローラである。また、このピックアップコントローラ３９は、フォトディテクタ３３ｃのゲインの切り替え処理をおこなう。
【００５９】
レーザダイオードドライバ４０は、ピックアップコントローラ３９により生成された信号波形に応じて、レーザダイオード３３ａを制御するドライバである。このレーザダイオードドライバ４０は、ピックアップコントローラ３９から信号波形をデジタル電圧信号として受け付け、それをアナログの駆動電流信号にＤＡ変換してレーザダイオード３３ａの射出出力を制御する。
【００６０】
増幅器４１は、光ディスク１０に記録された記録信号をピックアップ３３が読み取った際に、その信号を増幅する増幅器である。また、増幅器４１は、読み取りエラーが生じた際に、ＣＰＵ３４にエラー信号を送信する。デコーダ４２は、増幅器４１により増幅された記録信号の復号化処理をおこない、再生データを生成する回路である。
【００６１】
ここで、ＣＰＵ３４は、光ディスク１０に対するデータの記録時に、ピックアップコントローラ３９を介して温度センサ３３ｂにより取得したピックアップ３３の温度と、ピックアップコントローラ３９によりレーザダイオードドライバ４０に入力された、レーザダイオード３３ａの射出出力を制御するための射出出力制御値との間の対応関係をＲＡＭ３６に記憶する。
【００６２】
ＣＰＵ３４は、この対応関係に基づいて、ピックアップ３３の冷却実行後のレーザダイオード３３ａの射出出力の補正をおこなう。具体的には、ＣＰＵ３４は、冷却終了時のピックアップ３３の温度に対応する射出出力制御値をＲＡＭ３６から抽出し、抽出された射出出力制御値をピックアップコントローラ３９を介してレーザダイオードドライバ４０に入力することにより、レーザダイオード３３ａの射出出力を制御してデータの記録を再開する。
【００６３】
また、ピックアップ３３の冷却動作実行時には、ＣＰＵ３４は、ＤＳＰコントローラ３２およびドライバ３１を介して、スピンドルモータ１１を角速度一定で回転させる。なお、この角速度としては、記録動作中の回転数と冷却動作中の回転数に大きな隔たりが生じないように設定されている。その際、ＣＰＵ３４は、ピックアップコントローラ３９を介して、レーザダイオードドライバ４０がレーザダイオードの電源をオフにするよう制御する。また、ＣＰＵ３４は、ピックアップコントローラ３９を介して、ピックアップ３３が、トラッキング電源およびフォーカス電源をオフにするよう制御する。
【００６４】
さらに、ＣＰＵ３４は、キャリッジ１５を制御してピックアップ３３を放熱量が大きくなる位置に移動させる。この位置は、あらかじめおこなわれた実験等により放熱量がほぼ最大となることが判明した位置であり、一例としては、光ディスク１０の中心から半径の約２／３の距離となる位置である（光ディスク１０の半径が６０ｍｍの場合は、中心から約４０ｍｍの位置。）。なお、このときの回転数は、この位置での記録時の回転数と大きな隔たりのない値に設定されている。例えば、記録動作時の回転数が、中心から半径方向に２７００ｒｐｍから１０００ｒｐｍまで変化する場合、中心から半径方向に約２／３の距離での記録時の回転数に近いく、適度な風力がピックアップ３３に供給できるよう２０００ｒｐｍが冷却動作時の回転数として設定される。これにより、ピックアップ３３は、熱源の一つであるスピンドルモータからの輻射熱を避けると共に、光ディスク１０の回転による風力を全体にわたって効率的に受けることができる。ただし、放熱量がほぼ最大となる位置は、光学式情報記録装置の構造および熱源の位置などにより変化する。
【００６５】
図５は、上述したデータの記録処理中のピックアップ３３の温度とレーザダイオード３３ａの射出出力を制御するための射出出力制御値との間の対応関係の一例を示す図である。同図に示すように、各ピックアップ３３の温度に対応して、データの記録に用いられた射出出力制御値の値が１６進数で記憶されている。ＣＰＵ３４は、冷却終了時のピックアップ３３の温度に対応する射出出力制御値を抽出し、抽出した射出出力制御値を用いてデータの記録処理を再開する。
【００６６】
つぎに、本実施例に係る光学式情報記録装置のＣＰＵ３４が制御するデータ記録処理の処理手順について説明する。図６および図７は、それぞれ、本実施例に係る光学式情報記録装置のＣＰＵ３４が制御するデータ記録処理の処理手順を示すフローチャート（１）および（２）である。
【００６７】
同図に示すように、まず、ＣＰＵ３４は、ピックアップコントローラ３９およびレーザダイオードドライバ４０を介して、レーザダイオード３３ａが光ビーム１３を射出するよう制御し、光ディスク１０にデータを記憶する処理を実行する（ステップＳ１０１）。
【００６８】
そして、ＣＰＵ３４は、所定のデータ単位を記録する毎に、温度センサ３３ｂを介してピックアップ３３の温度の情報を取得し、また、レーザダイオードドライバ４０に入力したレーザダイオード３３ａの射出出力制御値の情報をピックアップコントローラ３９から取得して、それらの情報をＲＡＭ３６に記憶する（ステップＳ１０２）。
【００６９】
つづいて、ＣＰＵ３４は、取得した温度が、あらかじめＲＯＭ３５に記憶された所定の値以上か否か、あるいは、射出出力制御値が、同じくＲＯＭ３５に記憶された所定の値以上か否かを調べ（ステップＳ１０３）、取得した温度が所定の値未満で、かつ、射出出力制御値が所定の値未満であった場合には（ステップＳ１０３，Ｎｏ）、データの記録処理を続行する（ステップＳ１０１）。
【００７０】
なお、上記した「所定の値」とは、温度については、レーザーダイオード３３ａの定格温度、あるいは、ピックアップが安定動作するための定格温度に基づいて設定される。これにより、定格温度以上での光ビームの照射を防止することができ、レーザーダイオードの長寿命化やピックアップの安定動作を実現することができる。また、「射出出力制御値」については、レーザーダイオード３３ａの最大出力値、あるいは、ピックアップコントローラ３９がレーザーダイオードドライバドライバ４０に指示できる最大の射出出力制御値に基づいて設定される。たとえば、本実施例では、８ビットのＤＡ変換器を搭載しているため、最大射出出力制御値は、十六進で表されるアドレス「ＦＦｈ」となる。これにより、照射出力が上記最大値をこえることなく、最適な光ビームの射出を安定供給することができる。また、「所定の値」は、冷却動作の開始の遅れなどを考慮し、上記した所定の値に対してある程度余裕を持った数値に設定することもできる。
【００７１】
取得した温度が所定の値以上か、あるいは、射出出力制御値が所定の値以上であった場合には（ステップＳ１０３，Ｙｅｓ）、ＣＰＵ３４は、図示されない前段の回路から送信される記録データの受信を停止するようバッファ３７を制御し（ステップＳ１０４）、バッファ３７内にあるデータをすべて光ディスク１０に記録することによりバッファ３７内を空にして、バッファアンダーラン処理を実行する（ステップＳ１０５）。すなわち、ＣＰＵ３４は、データの記録を復帰させた場合にＲＦ信号を切れ目なく接続させるため、エンコーダ３８にデータの追記に係る情報をＲＡＭ３６に記憶させる。
【００７２】
その後、ＣＰＵ３４は、ピックアップコントローラ３９を制御して、レーザダイオード用電源、トラッキング用電源およびフォーカス用電源をオフにする（ステップＳ１０６）。さらにＣＰＵ３４は、ＤＳＰコントローラ３２およびドライバ３１を介して、スピンドルモータ１１を角速度一定で回転させるよう制御する（ステップＳ１０７）。
【００７３】
つづいて、ＣＰＵ３４は、ＤＳＰコントローラ３２およびドライバ３１を介して、ピックアップ３３が冷却効果の高い所定の位置に来るようキャリッジ１５を移動させる（ステップＳ１０８）。そして、ＣＰＵ３４は、その状態でピックアップ３３が冷却されるのを待ち、３０秒経過したならば（ステップＳ１０９，ＹＥＳ）、ピックアップコントローラ３９を制御して、レーザダイオード用電源、トラッキング用電源およびフォーカス用電源をオンにする（ステップＳ１１０）。なお、ここでは待機時間を３０秒としたが、それに限定されず、所定の時間であればよい。
【００７４】
その後、ＣＰＵ３４は、ＤＳＰコントローラ３２およびドライバ３１を介して、スピンドルモータ１１を線速度一定で回転させるよう制御する（ステップＳ１１１）。そして、ピックアップ３３の射出出力を、図５に一例を示したような、ピックアップ３３の温度と射出出力制御値の対応関係を基にして補正する処理をおこなう（ステップＳ１１２）。
【００７５】
つづいて、ＣＰＵ３４は、ＤＳＰコントローラ３２およびドライバ３１を介して、ステップＳ１０５のバッファアンダーラン処理により記憶された記録再開位置にピックアップ３３が来るようキャリッジ１５を移動させる（ステップＳ１１３）。
【００７６】
その後、ＣＰＵ３４は、記録データの符号化処理を再開すべく、バッファ３７並びにエンコーダ３８を制御し（ステップＳ１１４）、ピックアップコントローラ３９およびレーザダイオードドライバ４０を介して、レーザダイオード３３ａが光ビーム１３を射出するよう制御して、光ディスク１０へのデータの記録を再開する（ステップＳ１１５）。
【００７７】
以上説明したように、本実施例によれば、ピックアップ３３の温度、あるいは、ピックアップ３３の射出出力を制御する射出出力制御値のいずれかが所定の値以上か否かを調べることにより、冷却動作を実行すべきかどうかを判定し、冷却動作を実行すべきと判定された場合に、ピックアップの冷却動作を実行することとしたので、ピックアップ３３の温度が不適切に上昇するのを抑制することができ、安定したピックアップ３３の動作を実現できる。特に、レーザーダイオード３３ａは、定格温度あるいは、最大出力値を越えないように使用されることになるので、レーザーダイオードの長寿命化と光ビームの安定動作を実現することができる。
【００７８】
また、本実施例によれば、データの記録を停止して冷却処理へ移行する際に、バッファアンダーラン処理を実行させてデータの追記に係る情報を記憶し、データの記録が再開される場合に、そのデータの追記に係る情報に基づいて情報の記録を再開することとしたので、ＲＦ信号が不連続とならないようにデータの記録処理を再開することができ、記録エラーの発生を抑制することができる。
【００７９】
また、本実施例によれば、ピックアップ３３の冷却動作が実行され、光ディスク１０に対する情報の記録が再開される場合に、記録再開時のピックアップ３３の温度に応じて射出出力制御値を選択し、ピックアップ３３の出力を補正することとしたので、データの記録を再開する際冷却動作後の温度を考慮した適切な射出出力を得ることができる。
【００８０】
［実施例の変形例］
さて、この実施例の内容は上述した以外にも、種々の変形例にて実施されてよいものである。たとえば、上記実施例では、データ記録時におけるピックアップ３３の温度とレーザダイオード３３ａの射出出力を制御するための射出出力制御値との間の対応関係を記憶し、この対応関係に基づいて、射出出力の補正をおこなうこととしたが、必ずしもこれに限定されるものではなく、実験等により求めたピックアップ３３の温度と射出出力制御値との間の関係を、数式や表としてあらかじめ記憶しておき、それを用いて射出出力の補正をおこなうこととしてもよい。
【００８１】
また、その他の方法として、光ディスク１０の記録エリアの内周に設けられたＰＣＡに記録テストをおこなうＯＰＣを実施することにより、適切な射出出力制御値を得るなどして冷却動作後の射出出力の補正を行う構成としてもよい。なお、この場合には、射出出力の補正を行うために事前に射出出力制御値と温度の関係を取得しておく必要がなくなるので、図６に記載されるフローチャートのうち、ステップＳ１０２を省略することができる。
【００８２】
また、上記実施例では、ピックアップ３３の冷却を所定の時間おこなうこととしたが、必ずしもこれに限定されるものではなく、ピックアップ３３の温度が所定の温度に低下するまで冷却を継続することとしてもよい。この場合、温度がなかなか低下しないような状況もあり得るため、タイマーを備えて、所定の時間が経過すると冷却処理を強制的に終了するようにしてもよい。
【００８３】
また、上記実施例では、スピンドルモータ１１を回転させてピックアップ３３の冷却動作を実行する際に、ピックアップ３３を放熱効果が高い位置に移動させることとしたが、必ずしもこれに限定されるものではなく、ピックアップ３３を往復移動させることにより冷却することとしてもよい。特に、上記の放熱効果が高い位置を中心として往復移動させることにより、ピックアップ３３の冷却をさらに効率良く行うことができる。
【００８４】
また、上記実施例では、スピンドルモータ１１を回転させてピックアップ３３の冷却動作を実行する際に、スピンドルモータ１１をデータの記録中に用いられる範囲内の角速度で回転することとしたが、特に、スピンドルモータ１１の回転速度を、冷却実行直前のデータ記録時の角速度、すなわちデータの記録を中断した時の回転速度維持することにより、データの記録処理の再開をさらに円滑におこなうことができる。
【００８５】
［他の実施の形態］
さて、これまで実施の形態および実施例を説明したが、これらの内容は上述した以外にも、他の実施の形態として実施されてよいものである。たとえば、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図面の簡単な説明】
【図１】本実施の形態に係る光学式情報記録装置の機能的構成を示すブロック図である。
【図２】情報記録部の光ビームの射出出力と駆動電流値との間の関係における温度依存性を説明する図である。
【図３】冷却処理によりデータの記録処理を中断し、その後再開した場合のＲＦ信号の状態を示す概念図である。
【図４】本実施例の光学式情報記録装置のハードウェア構成を示すブロック図である。
【図５】データの記録処理中のピックアップの温度とレーザダイオードの射出出力を制御するための射出出力制御値との間の対応関係の一例を示す図である。
【図６】本実施例に係る光学式情報記録装置のＣＰＵが制御するデータ記録処理の処理手順を示すフローチャート（１）である。
【図７】本実施例に係る光学式情報記録装置のＣＰＵが制御するデータ記録処理の処理手順を示すフローチャート（２）である。
【符号の説明】
１０  光ディスク
１１  スピンドルモータ
１２  スピンドルモータ制御部
１３  光ビーム
１４  情報記録部
１５  キャリッジ
１６  キャリッジ制御部
１７  記録制御部
１７ａ  記録信号生成部
１７ｂ  出力制御部
１７ｃ  射出出力情報取得部
１７ｄ  温度情報取得部
１７ｅ  冷却判定部
１７ｆ  冷却実行部
１７ｇ  出力補正部
１８  再生制御部
１８ａ  信号読取部
１８ｂ  再生データ生成部
３１  ドライバ
３２  ＤＳＰコントローラ
３３  ピックアップ
３３ａ  レーザダイオード
３３ｂ  温度センサ
３３ｃ  フォトディテクタ
３４  ＣＰＵ
３５  ＲＯＭ
３６  ＲＡＭ
３７  バッファ
３８  エンコーダ
３９  ピックアップコントローラ
４０  レーザダイオードドライバ
４１  増幅器
４２  デコーダ
【図１】
2005056461.tif 000003
【図２】
2005056461.tif 000004
【図３】
2005056461.tif 000005
【図４】
2005056461.tif 000006
【図５】
2005056461.tif 000007
【図６】
2005056461.tif 000008
【図７】
2005056461.tif 000009